【手続補正書】
【提出日】平成18年11月17日(2006.11.17)
【手続補正１】
【補正対象書類名】明細書
【補正対象項目名】全文
【補正方法】変更
【補正の内容】
【書類名】            明細書
【発明の名称】        精穀装置における精穀容器
【特許請求の範囲】
【請求項１】 
搗精用の精穀容器（４）と、該精穀容器（４）を包囲する集糠容器（１０）とを着脱自在に収容する外枠（２ａ）と、該外枠（２ａ）に嵌装して前記精穀容器（４）を被覆する蓋（５）とを備え、前記精穀容器（４）の底部中央には攪拌用突片（１３）を備えた縦軸（１６）を立設し、前記外枠（２ａ）の基台下部には、前記縦軸（１６）を駆動させる駆動手段（３）を内蔵した精穀装置において、
前記精穀容器（４）は、精穀作用のある除糠用多孔壁（６）と、ホッパー部（４Ｂ）とからなり、
該ホッパー部（４Ｂ）の下端は、重ね代（４０）を延設するとともに、該重ね代（４０）に前記除糠用多孔壁（６）に向けて折曲する突起部（４３）を設ける一方、前記除糠用多孔壁（６）の周縁には、前記重ね代（４０）まで延設された環状のリング部材（４５）を固着するとともに、該リング部材（４５）に前記突起部（４３）を遊嵌させるための開口部（４８）を設け、
該開口部（４８）に前記突起部（４３）を嵌合させて、前記除糠用多孔壁（６）を、前記ホッパー部（４Ｂ）に遊嵌状に支持させたことを特徴とする精穀装置における精穀容器。
【請求項２】
搗精用の精穀容器（４）と、該精穀容器（４）を包囲する集糠容器（１０）とを着脱自在に収容する外枠（２ａ）と、該外枠（２ａ）に嵌装して前記精穀容器（４）を被覆する蓋（５）とを備え、前記精穀容器（４）の底部中央には攪拌用突片（１３）を備えた縦軸（１６）を立設し、前記外枠（２ａ）の基台下部には、前記縦軸を駆動させる駆動手段を内蔵した精穀装置において、
該ホッパー部（４Ｂ）の下端は、重ね代（４０）を下方に延設するとともに、該ホッパー部（４Ｂ）外周縁には、前記除糠用多孔壁（６）を遊嵌状に支持するための環状のリング部材（４７）を設ける一方、前記除糠用多孔壁（６）の周縁には、前記重ね代（４０）までは上方に延設され、該重ね代（４０）からは前記ホッパー部（４Ｂ）外周縁に向けて延設された環状のリング部材（４５）を固着し、
前記リング部材（４７）は、縦段面略Ｊ字状に折曲した突起部（４３）を形成する一方、前記リング部材（４５）の外周縁延設部には、前記突起部（４３）を遊嵌させるための凹部（４４）を設け、
該凹部（４４）に前記前記突起部（４３）を嵌合させて、前記除糠用多孔壁（６）を、前記ホッパー部（４Ｂ）に遊嵌状に支持させたことを特徴とする精穀装置における精穀容器。
【発明の詳細な説明】 
【０００１】 
【発明の属する技術分野】 
本発明は、回転可能に立設した攪拌体とこれを包囲する精穀容器とを備え、該精穀容器内に穀物を投入し、前記攪拌体を回転させて穀物を攪拌させながら精穀する精穀装置における精穀容器に係り、穀粒の攪拌によって生じる騒音を低減させた精穀容器に関する。 
【０００２】 
【従来の技術】 
通称「コイン精米」と呼ばれる屋外設置型の大型の精穀機の場合、屋外で使用することから騒音もあまり気にならず、また、装置の大型化を多少無視しながらでも騒音対策は十分施すことができる。しかし、実開昭５６−１７６０４２号、特開平１１−１９７５２１号で開示のように、小型で特に米５合程度の精米を目的とする「家庭用」と呼ばれる精穀機を屋内で使用する場合、精穀時に発生する騒音が気になるところである。特に厨房や台所といった空間で手軽に使用するように開発された家庭用精穀機は、小型ながらその使用時の騒音が我慢できなくはないにしても、使用時間が１〜２分、長くて数分程度となり、部屋の中で使用するにはできるだけ静かであることが望まれている。 
【０００３】 
【発明が解決しようとする課題】 
このような家庭用精穀機であっても、吸音材などで精穀機を覆って手軽に騒音を防止することはできるが、吸音材を覆うための空間が必要であり、家庭用精穀機は小型であることが望まれるため、騒音防止のために容積を加えて大型化することはできるだけ避けたい手段である。 
【０００４】 
また、騒音防止用に使用される吸音材、例えばウレタンフォーム等は、その機能上、細かい空間を備えているため、長期の使用に伴って精穀作用によって生じる糠成分が吸音材部分に入り込む可能性があり、この状態は害虫の絶好の温床となって新たな被害の発生が懸念されるところであり、できれば騒音防止のためにこのような吸音材は使用したくない。騒音防止のために構造を変更するにしてもその実現が容易であることが望まれており、複雑な構造とはしたくない。 
【０００５】 
以上のことから、精穀機を大型化することなく、また吸音材を使用することなく、騒音の発生源である精穀容器に騒音防止を施して精穀時に発生する騒音を低減した精穀機の精穀容器の提供を課題とするものである。また、この精穀容器の騒音防止を実現させるための簡単な精穀容器の構成を提供する。 
【０００６】 
【課題を解決するための手段】 
上記課題を解決するため本発明は、搗精用の精穀容器（４）と、該精穀容器（４）を包囲する集糠容器（１０）とを着脱自在に収容する外枠（２ａ）と、該外枠（２ａ）に嵌装して前記精穀容器（４）を被覆する蓋（５）とを備え、前記精穀容器（４）の底部中央には攪拌用突片（１３）を備えた縦軸（１６）を立設し、前記外枠（２ａ）の基台下部には、前記縦軸（１６）を駆動させる駆動手段（３）を内蔵した精穀装置において、前記精穀容器（４）は、精穀作用のある除糠用多孔壁（６）と、ホッパー部（４Ｂ）とからなり、該ホッパー部（４Ｂ）の下端は、重ね代（４０）を延設するとともに、該重ね代（４０）に前記除糠用多孔壁（６）に向けて折曲する突起部（４３）を設ける一方、前記除糠用多孔壁（６）の周縁には、前記重ね代（４０）まで延設された環状のリング部材（４５）を固着するとともに、該リング部材（４５）に前記突起部（４３）を遊嵌させるための開口部（４８）を設け、該開口部（４８）に前記突起部（４３）を嵌合させて、前記除糠用多孔壁（６）を、前記ホッパー部（４Ｂ）に遊嵌状に支持させる、という技術的手段を講じた。 
【０００７】 
つまり、本発明では吸音材を使用することなく精穀容器に次のような改良を加えた。すなわち、前記精穀容器（４）は、精穀作用のある除糠用多孔壁（６）と、ホッパー部（４Ｂ）とからなる２部品から構成し、該ホッパー部（４Ｂ）の下端は、重ね代（４０）を延設するとともに、該重ね代（４０）に前記除糠用多孔壁（６）に向けて折曲する突起部（４３）を設ける一方、前記除糠用多孔壁（６）の周縁には、前記重ね代（４０）まで延設された環状のリング部材（４５）を固着するとともに、該リング部材（４５）に前記突起部（４３）を遊嵌させるための開口部（４８）を設け、該開口部（４８）に前記突起部（４３）を嵌合させて、前記除糠用多孔壁（６）を、前記ホッパー部（４Ｂ）に遊嵌状に支持させ、これらを相対的に遊びを持たせ且つ回動しないよう係合したものである。 
【０００８】 
本発明に係る精穀装置は、攪拌用突片（１３）によって攪拌される穀粒と除糠用多孔壁（６）との接触により発生する振動が騒音の主な発生源となっている。除糠用多孔壁（６）で発生するこのような要因による騒音が他部位に伝わらないように、除糠用多孔壁（６）の上部に設けたホッパー部（４Ｂ）との間に相対的に遊びを持たせる構造とした。これによって、除糠用多孔壁（６）の振動はホッパー部（４Ｂ）に直接的に伝わることはなく、またホッパー部（４Ｂ）においてこの振動が増幅され大きな騒音となることもなく、さらにホッパー部（４Ｂ）からこれらを収納した機枠に伝わって外部に漏れ伝わることを低減させることができる。 
【０００９】 
ここでホッパー部（４Ｂ）とは、有孔・無孔を問わず、その構成・形状が精穀作用に直接寄与していなくても、精穀装置の精穀容量や穀物の収納容量を増加させ容量を確保する構造、あるいは精穀作用により攪拌される穀物が精穀容器内で飛び跳ねることを可能にした空間を形成した構造を有する部分を包含するものであり、除糠用多孔壁（６）と全く同じ素材であっても、除糠用多孔壁（６）と異なる素材であってもよい。 
【００１０】 
精穀容器（４）には駆動手段（３）によって駆動される攪拌用突片（１３）を備えているので、攪拌用突片（１３）の回転に伴って精穀容器（４）が回転しないよう、つまり、除糠用多孔壁（６）はホッパー部（４Ｂ）と相対的に回動しないよう係合してある。つまり、除糠用多孔壁（６）とホッパー部（４Ｂ）とは接合されておらず、除糠用多孔壁（６）上部とはホッパー部（４Ｂ）下部の所定の重ね代（４０）部分で遊びを持たせて重なり且つ回動しないよう遊嵌させたものである。これによって、除糠用多孔壁（６）とホッパー部（４Ｂ）とは接合してはいないので直接的に除糠用多孔壁（６）の振動がホッパー部（４Ｂ）に伝わることはない。また遊嵌してあるので除糠用多孔壁（６）が独自に回動することはない。ホッパー部（４Ｂ）は、これを機枠内に収納することによって機枠内に固定できるように構成するとよい。これは機枠内とホッパー部（４Ｂ）との適当な嵌合あるいは係合によって実現できる。 
【００１１】 
【発明の実施の形態】 
本発明に係る実施の形態を図１乃至図３に基づいて説明する。図１は家庭用精米機の内部構成を示す中央縦断面図である。符号１は家庭用精米機であり、符号２は機枠であり、下部に駆動源となるモータ３を収容し、上部に精穀容器４を収容することができる。精穀容器４は、蓋５の取り外しで上部を開口することが可能なホッパー状に形成してあり、この精穀容器４の少なくとも下部周壁を除糠用多孔壁６に形成している。そして、この除糠用多孔壁６の下部周壁部は、その内径が前記精穀容器４上端縁の内径よりも小さい円筒部７に形成する。符号８は無孔状の底部であり、符号９は精穀容器４を集糠容器１０に固定する固定手段である。符号２２は集糠容器１０の突起部であり、該突起部２２の外周に円筒部７の固定手段９を嵌合させて無孔状の底部８を固定するのである。 
【００１２】 
前記精穀容器４の外周は、円筒状の集糠容器１０により包囲する。この時、除糠用多孔壁６の下部周壁が、径の小さい円筒部７に形成してあるから、精穀容器４と集糠容器１０との間隙に除糠室１１が形成される。そして、精穀容器４は突起部２２と集糠容器１０上端部により外枠２ａに固定される。精穀容器４の底部８中央には、縦軸１２を回転自在に軸架する軸受部２３を備え、前記縦軸１２には、複数個の攪拌用突片１３を放射状に備える精米用縦軸２４を軸装し、縦軸１２の下部に継手１４を設けて、モータ３からの回転力を切り離し可能な構成とする。 
【００１３】 
次に、機枠２に収容された駆動源の構成を説明する。機枠２には、回転数を変更可能なモータ３を収容するとともに、縦軸１２の直下で軸受１５により回転自在な縦軸１６を立設する。そして、モータ３のモータ軸２６にはモータプーリ１７を軸装する一方、縦軸１６の上部には中継プーリ１８を、該中継プーリ１８の上部には前記継手１４の他方側継手２５を軸装する。モータプーリ１７と中継プーリ１８との間には、ベルト１９を巻装し、モータ３の回転力が縦軸１６へ、例えば、減速比１対３で伝達するように形成する。符号２０は縦軸１６の回転数を検出する回転センサであり、符号２１は運転スイッチ、張り込み量及び白度を設定するスイッチ、そして、その設定を表示するＬＥＤを設けた操作盤である。 
【００１４】 
さらに、精穀容器４内へ通風するための構成を図１を参照して説明する。前記機枠２の底部２ｂには、外部と連通する空気取入口２７及び空気排出口２８を穿設するとともに、前記機枠２内部には、外部の空気を取り入れる導風路２９ａ及び取り入れた空気を排出する排風路２９ｂとを形成する。すなわち、導風路２９ａは機枠２内部を縦方向に仕切る仕切壁３０ａと精米機前部の操作盤２１との空間部に形成され、排風路２９ｂは機枠２内部を縦方向に仕切る仕切壁３０ｂと精米機後部の機枠２の側壁との空間部に形成される。そして、該導風路２９ａ上部は精米機前部の外枠２ａ内に形成される導風路３１ａと連通し、導風路２９ａ下部は前記空気取入口２７を接続する。また、排風路２９ｂ上部は精米機後部の外枠２ａ内に形成される排風路３１ｂと連通し、排風路２９ｂ下部は前記モータ３によって駆動する送風ファン３２を介して空気排出口２８を接続する。 
【００１５】 
そして、導風路３１ａ及び排風路３１ｂは、外枠２ａ内部を縦方向に仕切る仕切壁３４ａ，３４ｂにより形成するとともに、外枠２ａ上部に嵌着する蓋５の内壁は、導風路３１ａ及び排風路３１ｂが閉塞しないよう、前記仕切壁３４ａ，３４ｂの延長線と交錯する部分３３ａ，３３ｂを外周方向に切り欠き、空気の流通路３５ａ，３５ｂを形成するとよい。 
【００１６】 
図２は前記精穀容器４の円筒部７周辺の拡大断面図である。この図２により攪拌用突片１３の形状を詳細に説明する。攪拌用突片１３は、円筒部７内に堆積した米粒を円筒部７の内周面に搬送する横搬送面１３Ａと、該横搬送面１３Ａで搬送した米粒を前記円筒部７に沿って上昇させる縦搬送面１３Ｂと、該縦搬送面１３Ｂで搬送した米粒を前記精穀容器４の傾斜面６Ａに投げ上げる投げ上げ面１３Ｃとを備えた形状である。 
【００１７】 
図４は前記精穀容器４及び前記集糠容器１０が前記機枠２から離脱し、また、前記精穀容器４と前記集糠容器１０とが分離可能な状態を示す概略部品図である。この図４を参照すれば、搗精終了後に米粒と糠の持ち運びが可能で、使用後のメンテナンスも簡単に行える。符号４Ａは精穀容器４上部周縁に設けて、精穀容器４を集糠容器１０に載置するためのフランジであり、符号１０Ａは集糠容器１０上部周縁に設けて、外枠２ａから取り出す際の把手用の鍔部である。 
【００１８】 
次に、上記構成における本発明の家庭用精米機の作用を説明する。１合から数合程度の範囲で家庭内で食する米を搗精する場合、蓋５を取り外し、精穀容器４の開口面から計量カップなどで計量した玄米を投入して、玄米を除糠用多孔壁６の円筒部７に貯留する。このとき、円筒部７の内径が比較的小さく形成されているので、少量の玄米であっても薄層で堆積することはなく、攪拌用突片１３がほぼ隠れる程度の高さの層厚で堆積される。次に、蓋５を精穀容器４に嵌め、操作盤２１の張り込み量スイッチ（図示せず）により張り込み量を設定するとともに、白度設定スイッチ（図示せず）により白度を設定し、更に、運転スイッチ(図示せず)をオンにして搗精を開始する。すると、制御装置（図示せず）は設定された張り込み量と白度に応じてモータ３の回転数と駆動時間を演算し、あるいはあらかじめ設定された値を読み込んで、演算結果あるいは読み込んだ値に基づいてモータ３に電気を供給して駆動する。例えば、張り込み量を「１合」、白度を「白米」に設定すると、回転数が２，４００rpm、駆動時間が９０秒と設定される。 
【００１９】 
モータ３によりモータ軸２６の回転力がベルト１９を介して縦軸１６に伝達されると、継手２５、１４を経て精穀容器４内の縦軸１２に伝達される。これにより、縦軸１２に軸装した攪拌用突片１３が回転するが、投入された玄米により攪拌用突片１３がほぼ隠れる程度に堆積されているので、十分な搗精力が与えられることになる。この搗精状態を説明すると、攪拌用突片１３の横搬送面１３Ａの回転により円筒部７内周方向に押し出され、次いで、縦搬送面１３Ｂの回転により円筒部７の内周面を旋回しながら上昇され、さらに、投げ上げ面１３Ｃにより精穀容器４の傾斜面（除糠用多孔壁６）に投げ上げられる。これにより、米粒は精穀容器４内で大きな循環軌跡を形成して搗精が行われるので（図５の破線で示す軌跡を参照）、米粒が円周方向に飛び散って砕米が発生する虞（おそれ）は少なくなり、仕上がり白度も設定した白度と同様になる。 
【００２０】 
モータ３によりモータ軸２６が回転すれば、送風ファン３２が回転して、空気取入口２７、導風路２９ａ及び導風路３１ａを介して精穀容器４内に外部の空気が取り入れられる。この外部空気は蓋５に設けた流通路３５ａから容易に流入するので、精穀容器４内の研米で加熱された米粒を冷却して、砕米発生率を防止することができる。また、精穀容器４内の空気が昇温しても、外部空気の流入により精穀容器４内を冷却して蓋５内面の結露発生を防止することができる。 
【００２１】 
精穀容器４内に流入した空気は、流通路３５ｂから吸引され、排風路３１ｂ、送風ファン３２、排風路２９ｂ及び空気排出口２８を介して外部に排出される。同時に、送風ファン３２による空気の吸引により加熱したモータ３の冷却も可能となる。 
【００２２】 
駆動時間が経過し、搗精が終了すると、図４に示すように蓋５を取り外すとともに、鍔部１０Ａを手で持って精穀容器４及び集糠容器５を基台２から取り外すと、搗精後の白米を持ち運ぶことができる。また、精穀容器４と集糠容器１０とが分離可能であるため、食品用に糠を利用したい場合には集糠容器１０から糠を取り出すこともできるし、使用後の水洗いなどのメンテナンスも簡単に行うことができる。 
【００２３】
次に、本発明の要部となる精穀容器４の第１の実施例について、図８により説明する。図８に示す精穀容器４は、精穀作用のある除糠用多孔壁６とホッパー部４Ｂとからなり、該ホッパー部４Ｂの下端は、重ね代４０として傾斜下方に延設するとともに、該重ね代４０の周縁に前記除糠用多孔壁６側に向けて直角に折り曲げられた突起部４３を複数個設ける一方、前記除糠用多孔壁６の周縁には、前記重ね代４０まで傾斜上方に延設された環状のリング部材４５を固着するとともに、該リング部材４５の周縁に前記突起部４３を遊嵌させるための開口部４８を設けている。これにより、前記除糠用多孔壁６とホッパー部４Ｂとは、板厚程度の遊び４１を持たせて遊嵌させることができる。この実施例の場合、リング部材４５には、突起部４３の断面よりも大きな開口部４８が設けてあり、ホッパー部４Ｂとリング部材４５との間に遊び４１を備え且つ、突起部４３を開口部４８へ挿入したときに、突起部４３が開口部４８に拘束されないように遊嵌され、除糠用多孔壁６がホッパー部４Ｂに固着しないよう形成してある。
【００２４】
精穀容器４の第２の実施例について、図２及び図６により説明する。図６（ａ）は、図２の符号３７部分の拡大端面図であり、図６（ｂ）は、図６（ａ）のＢ−Ｂ線により破断したときに表れる平面図である。精穀容器４は、精穀作用のある除糠用多孔壁６とホッパー部４Ｂとからなり、該ホッパー部４Ｂの傾斜下端は、重ね代４０として傾斜下方に延設するとともに、該ホッパー部４B外周縁には、前記除糠用多孔壁６を遊嵌状に支持するための環状のリング部材４７が設けられ、さらに、前記除糠用多孔壁６の周縁には、前記重ね代４０まで傾斜上方へ延設され、かつ、前記ホッパー部４B外周方向に延設された環状のリング部材４５が固着されている。そして、前記ホッパー部４B外周縁に設けたリング部材４７は、図６（ａ）で示すように、縦段面でＪ字状に折り曲げた突起部４３を形成する一方、前記リング部材４５の外周方向への延設部には、前記Ｊ字状に折り曲げた突起部４３を遊嵌させる凹部４４を設けている。これにより、前記除糠用多孔壁６とホッパー部４Ｂは相対的に回動せず、しかも、前記除糠用多孔壁６は遊び４１，４２を持って遊嵌させながら、前記ホッパー部４Ｂに支持させることができる。
【００２５】 
さらに詳述すると、リング部材４５を固着した除糠用多孔壁６をホッパー部４Ｂの下端に添えた状態にして、リング部材４７をリング部材４５の下方から持ち上げて、リング部材４５を包囲するように取り付けて、突起部４３と凹部４４を遊嵌させ、リング部材４７をホッパー部４Ｂに固着すれば、本発明の目的は達せられる。このように構成した精穀容器４においては、ホッパー部４Ｂと除糠用多孔壁６との間には遊び４１，４２が有り、且つ、リング部材４５，４７の凹部４４と突起部４３によって相対的な回動が阻止されるので、前述のように精米を行っても、精米によって生じる除糠用多孔壁６の振動はホッパー部４Ｂには直接的には伝わらず、よって機枠２にも直接的に伝わることはなく、精米によって発生する騒音を低減することができる。また、除糠用多孔壁６内の空間では、精米中の米粒が攪拌用突片１３によって一回転方向に押しやられて動くため、この作用を除糠用多孔壁６も受けて回転作用を受けるが、凹部４４と突起部４３によって相対的な回動が阻止されているので、従来のように除糠用多孔壁６をホッパー部４Ｂに固着してなくてもよく、除糠用多孔壁６は回転することなく米粒は精米される。 
【００２６】 
ここで、図6（ａ）に示すように、リング部材４５が除糠用多孔壁６の上方側に固着してあるが、下方側であってもよい。同様に、図２に示すように、リング部材４５及びリング部材４７がホッパー部４Ｂのフランジ４Ａより内側にある構成としてもよい。また、除糠用多孔壁６は平面視で円形であることを前提として説明したが、多角形（６角形や８角形）であった場合には、当然にリング形状もそれに合わせて多角形とすることは言うまでもない。また、突起部４３や凹部４４の位置はリング相互に入れ替えて形成してもよいし、その形成箇所も１箇所でも複数箇所でもよい。突起部４３や凹部４４の形状も本実施例に限定されない。 
【００２７】 
遊び４１，４２については、少なくともどちらか一方が存在すればよく、その目的とするところは、ホッパー４Ｂと除糠用多孔壁６とが固着されていないことであり、遊び４１，４２がともに均等な間隙を備えることは要件ではない。
【００２８】
次に、精穀容器４の第３の実施例について、図７（ａ），（ｂ）により説明する。図６に示す構成はホッパー部４Ｂと除糠用多孔壁６とが傾斜した状態で遊嵌されているが、図７（ａ）に示す構成はホッパー部４Ｂと除糠用多孔壁６とがほぼ垂直な状態で遊嵌されている。また、図７（ｂ）は、図７（ａ）のＣ−Ｃ線により破断したときに表れる平面図である。この実施例の場合、精穀容器４は、精穀作用のある除糠用多孔壁６とホッパー部４Ｂとからなり、該ホッパー部４Ｂの下端は、重ね代４０として下方に延設するとともに、該ホッパー部４B外周縁には、前記除糠用多孔壁６を遊嵌状に支持する環状のリング部材４７が設けられ、さらに、前記除糠用多孔壁６の周縁には、前記重ね代（４０）までは上方に延設され、該重ね代（４０）からは前記ホッパー部（４Ｂ）外周縁に向けて延設された環状のリング部材（４５）を固着されている。そして、前記ホッパー部４B外周縁に設けたリング部材４７は、図７（ａ）で示すように、縦段面でＪ字状に折り曲げた突起部４３を形成する一方、前記リング部材４５の外周縁延設部には、前記Ｊ字状に折り曲げた突起部４３を遊嵌させる凹部４４を設けている。これにより、前記除糠用多孔壁６とホッパー部４Ｂは相対的に回動せず、しかも、前記除糠用多孔壁６は遊び４１，４２を持って遊嵌させながら、前記ホッパー部４Ｂに支持させることができる。図７（ａ）に示すように、リング部材４７の膨出部がじゃまになるときには、ホッパー部４Ｂの内側にリング部材４５，４７を設けるように設計してもよい。
【００２９】 
上記構成においては、第１の実施例と同様、精穀容器４のホッパー部４Ｂと除糠用多孔壁６との間に遊び４１，４２を有り、且つ、リング部材４５，４７の凹部４４と突起部４３によって相対的な回動が阻止されるので、精米によって生じる除糠用多孔壁６の振動はホッパー部４Ｂには直接的には伝わらず、よって機枠２にも直接的に伝わることはなく、精米によって発生する騒音を低減することができる。また、凹部４４と突起部４３によって相対的な回動が阻止されているので、従来のように除糠用多孔壁６をホッパー部４Ｂに固着していなくてもよく、除糠用多孔壁６は回転することなく米粒は従来どおり精米される。 
【００３０】 
【００３１】 
上記第１乃至第３実施例のように構成された精穀容器４によって精米したときの騒音値と、従来の精穀容器によって精米したときの騒音値とを、騒音計で測定して比較すると、 
従来の精穀容器の騒音値        ７５ｄＢ 
本発明の精穀容器の騒音値      ６８ｄＢ 
となり、７ｄＢ  の騒音低減を達成することができた。 
【００３２】 
【発明の効果】 
以上のように本発明によれば、搗精用の精穀容器（４）と、該精穀容器（４）を包囲する集糠容器（１０）とを着脱自在に収容する外枠（２ａ）と、該外枠（２ａ）に嵌装して前記精穀容器（４）を被覆する蓋（５）とを備え、前記精穀容器（４）の底部中央には攪拌用突片（１３）を備えた縦軸（１６）を立設し、前記外枠（２ａ）の基台下部には、前記縦軸（１６）を駆動させる駆動手段（３）を内蔵した精穀装置において、前記精穀容器（４）は、精穀作用のある除糠用多孔壁（６）と、ホッパー部（４Ｂ）とからなり、該ホッパー部（４Ｂ）の下端は、重ね代（４０）を延設するとともに、該重ね代（４０）に前記除糠用多孔壁（６）に向けて折曲する突起部（４３）を設ける一方、前記除糠用多孔壁（６）の周縁には、前記重ね代（４０）まで延設された環状のリング部材（４５）を固着するとともに、該リング部材（４５）に前記突起部（４３）を遊嵌させるための開口部（４８）を設け、該開口部（４８）に前記突起部（４３）を嵌合させて、前記除糠用多孔壁（６）を、前記ホッパー部（４Ｂ）に遊嵌状に支持させたので、精穀によって発生する除糠用多孔壁（６）の騒音をホッパー部（４Ｂ）に伝えることがなく、また増幅させることがないので、精穀時の騒音を低減させることができ、家庭内での使用が快適に行える。 
【００３３】 
また、ホッパー部（４Ｂ）と除糠用多孔壁（６）とを固着によらず遊嵌しているので、一体的な製造が可能であり、しかも、特別の組立加工を必要とせず容易に実現できる。 
【００３４】 
さらに、製造における固定の手間が省ける。 
【図面の簡単な説明】
【図１】
本発明の家庭用精米機の内部構成を示す中央縦断面図である。
【図２】
除糠用多孔壁の円筒部周辺の拡大断面図である。 
【図３】 
図１のＡ−Ａ線横断面図である。 
【図４】 
家庭用精米機の内部構成の脱着状態を示す概略部品図である。 
【図５】 
精穀容器内における米粒の循環軌跡を示す該略図である。 
【図６】 
本発明による精穀容器係合部の第２の実施例図（符号３７部の拡大図）である。 
【図７】 
本発明による精穀容器係合部の第３の実施例図である。 
【図８】 
本発明による精穀容器係合部の第１の実施例図である。 
【符号の説明】
１ 家庭用精米機 
２ 機枠 
２ａ 外枠 
２ｃ 底部 
３ モータ 
４ 精穀容器 
４Ａ フランジ
４Ｂ  ホッパー部 
５ 蓋 
６ 除糠用多孔壁 
７ 円筒部 
８ 底部 
９ 固定手段 
１０ 集糠容器 
１０Ａ 鍔部 
１１ 除糠室 
１２ 縦軸 
１３ 攪拌用突片 
１４ 継手 
１５ 軸受 
１６ 縦軸 
１７ モータプーリ 
１８ 中継プーリ 
１９ ベルト 
２０ 回転センサ 
２１ 操作盤 
２２ 突起部 
２３ 軸受部 
２４ 精米用縦軸 
２５ 他方側継手 
２６ モータ軸 
２７ 空気取入口 
２８ 空気排出口 
２９ 導風路 
３０ 仕切壁 
３１ 導風路 
３２ 送風ファン 
３３ 切欠部 
３４ 仕切壁 
３５ 流通路 
４０  重ね代 
４１  遊び 
４２  遊び 
４３  突起部 
４４  凹部 
４５  リング部材
４６  間隙 
４７  リング部材
４８  開口部